(57)【要約】【課題】ライティングダクトに照明器具１０００を取り付ける際、プラグ３００を摘みやすくするとともに、照明器具１０００をライティングダクトに設置した後は、アーム２００の露出部分を少なくする。【解決手段】本発明に係る照明器具１０００は、灯具１００と、灯具１００に取り付けられた直線状のアーム２００と、アーム２００に取り付けられた円筒形状のプラグ３００と、を備え、灯具１００は、アーム２００が回動可能に取り付けられるアーム取付部１１２と、アーム取付部１１２の側部に近接して配置された灯具カバー１７０とを有し、灯具カバー１７０は、アーム２００の回動を妨げないように、かつ、アーム取付部１１２の外周の少なくとも一部を囲うように取り付けられ、灯具１００の外郭を形成する。【選択図】          図１
2018055855.tif 000002
【特許請求の範囲】
【請求項１】
灯具と、前記灯具に取り付けられた直線状のアームと、前記アームに取り付けられた円筒形状のプラグと、を備え、
前記灯具は、
前記アームが回動可能に取り付けられるアーム取付部と、
前記アーム取付部の側部に近接して配置された灯具カバーとを有し、
前記灯具カバーは、前記アームの回動を妨げないように、かつ、前記アーム取付部の外周の少なくとも一部を囲うように取り付けられ、前記灯具の外郭を形成することを特徴とする照明器具。
【請求項２】
前記アーム取付部と前記灯具カバーとの間に配置された電源装置を備えることを特徴とする請求項１に記載の照明器具。
【請求項３】
前記アームの太さは、前記プラグの直径とほぼ同じまたは前記プラグの直径よりも細いことを特徴とする請求項１または請求項２に記載の照明器具。
【請求項４】
前記灯具を回動させて露出された前記アームの把持部の最大長が６０ｍｍ〜１２０ｍｍであることを特徴とする請求項１〜請求項３のいずれか一項に記載の照明器具。
【請求項５】
灯具と、
前記灯具に取り付けられ、前記灯具の外郭形状と相まって連続的な外郭形状をなし、かつ、前記灯具との間に所定間隔の隙間を形成する灯具カバーと、
を備え、
前記灯具カバーの材質は、前記灯具の材質と異なることを特徴とする照明器具。
【発明の詳細な説明】
【技術分野】
【０００１】
本発明は、灯具にカバーが取り付けられた照明器具に関する。
【背景技術】
【０００２】
従来、例えば特許文献１、特許文献２に開示されているように、プラグ、アームと灯具が直線状に配置された照明器具がある。これにより、灯具をプラグの直下方向へ向けた際、プラグ、アーム及び灯具が直線状のプロポーションとなり、美観を高めている。
また、例えば特許文献３、特許文献４に開示されているように、灯具の側部にアームの支持部を設け、灯具の先端部分との間に隙間を設けながら、灯具の後部部分の一部をカバーで覆うようにした照明器具がある。これにより、使用者が灯具の側面方向から視認したときの美観を高めている。
【先行技術文献】
【特許文献】
【０００３】
【特許文献１】特開２０１３−１４３２３２号公報
【特許文献２】特開２０１５−２８８７２号公報
【特許文献３】特開２０１６−３１９１９号公報
【特許文献４】特開２０１６−３１９２０号公報
【発明の概要】
【発明が解決しようとする課題】
【０００４】
しかしながら、特許文献１では、灯具をプラグの直下方向に向けたとき、プラグ、アーム及び灯具の全長が長くなっていた。
また、特許文献２では、灯具をプラグの直下方向に向けたとき、プラグ、アーム及び灯具の全長が長くならないように、アームの長さを短くしているが、プラグに対して灯具の直径が大きいため、プラグが摘み難く、照明器具をライティングダクトへ取り付ける作業性が劣っていた。
また、特許文献３、４では、灯具の側部を支持するために、２本のアームで灯具を支持する必要があり、プラグを摘む際、アームが障害となって、ライティングダクトへの取付性が劣っており、例えば電源ユニットなどのプラグ以外の支持具が必要となっていた。
【０００５】
本発明は、上述のような課題を解決するためになされたもので、ライティングダクトに照明器具を取り付ける際、プラグを摘みやすくするとともに、照明器具をライティングダクトに設置した後は、アームの露出部分を少なくする。
【課題を解決するための手段】
【０００６】
本発明に係る照明器具は、灯具と、灯具に取り付けられた直線状のアームと、アームに取り付けられた円筒形状のプラグと、を備え、灯具は、アームが回動可能に取り付けられるアーム取付部と、アーム取付部の側部に近接して配置された灯具カバーとを有し、灯具カバーは、アームの回動を妨げないように、かつ、アーム取付部の外周の少なくとも一部を囲うように取り付けられ、灯具の外郭を形成する。
【発明の効果】
【０００７】
本発明によれば、ライティングダクトに照明器具を取り付ける際、プラグを摘みやすくするとともに、照明器具をライティングダクトに設置した後は、アームの露出部分を少なくすることができる。
【図面の簡単な説明】
【０００８】
【図１】実施の形態１に係る照明器具の斜視図である。
【図２】図１の照明器具１０００の分解斜視図である。
【図３】図１の照明器具１０００の他の角度から見たときの斜視図である。
【図４】図３の照明器具１０００の分解斜視図である。
【図５】図１の照明器具１０００の側面の断面を示す断面図である。
【図６】図５の照明器具１０００から一部の部品を外した状態を示す断面図である。
【図７】図６の光学レンズ１４０と光学レンズホルダ１５０を示す側面図である。
【図８】図１の照明器具１０００の灯具１００を回動させた状態を示す側面図である。
【図９】図８の照明器具１０００のアーム２００を把持した状態を示す側面図である。
【発明を実施するための形態】
【０００９】
以下、本発明の実施の形態を、図面に基づいて説明する。なお、以下に示す図面の形態によって本発明が限定されるものではない。
【００１０】
実施の形態１．
本実施の形態について、図１〜図９を用いて説明する。
照明器具１０００  は、灯具１００と、灯具１００に回動可能に取り付けられるアーム２００と、アーム２００に回動可能に取り付けられるプラグ３００とを有する。本実施の形態の図１に示す照明器具１０００は、いわゆるスポットライトであるが、スポットライトに限定されるものではない。
【００１１】
灯具１００は、灯具本体１１０と、この灯具本体１１０に取り付けられる光源モジュール１２０と、光源モジュール１２０を灯具本体１１０に固定する光源保持具１３０と、光源モジュール１２０が発する光が入射され、入射された光を集光または拡散する光学レンズ１４０と、この光学レンズ１４０を保持し、灯具本体１１０に固定する光学レンズホルダ１５０と、灯具本体１１０に取り付けられる電源ユニット１６０と、電源ユニット１６０を覆うように、灯具本体１１０に取り付けられる灯具カバー１７０と、を備える。
【００１２】
灯具本体１１０は、有底の円筒形状をなし、光源モジュール１２０と光学レンズホルダ１５０が取り付けられる底部１１１（光源載置部１１１ａ、ホルダ取付部１１１ｂ）と、回動可能にアーム２００が取り付けられるアーム取付部１１２と、底部１１１（光源載置部１１１ａ、ホルダ取付部１１１ｂ）が形成された部分とは反対側（裏側）に設けられる灯具カバー挿入部１１３が形成される。この灯具本体１１０は、アルミダイカスト製である。
【００１３】
光源モジュール１２０は、いわゆるチップオンボード型の発光ダイオード１２１である。この発光ダイオード１２１は、詳細は図示しないが、例えば、発光ダイオード素子と、この発光ダイオード素子が実装された基板と、発光ダイオード素子を封止するように基板に充填される樹脂を有する。
【００１４】
なお、本実施の形態では、光源モジュール１２０として、チップオンボード型の発光ダイオードを用いる場合について説明するが、パッケージ型の発光ダイオードを基板に実装するものでもよいし、有機エレクトロルミネッセンスなどであってもよい。
【００１５】
光源保持具１３０は、光源モジュール１２０を底部１１１（光源載置部１１１ａ）に固定するとともに、光源モジュール１２０と電気的に接続する。
【００１６】
光学レンズ１４０は、光源モジュール１２０が発する光を入射する入射部１４１と、入射した光を反射する反射部１４２と、入射した光（反射された光を含む。）を出射する出射部１４３と、出射部１４３の外周にリング状に形成されたつば部１４４を有する。
【００１７】
光学レンズホルダ１５０は、底部１１１（ホルダ取付部１１１ｂ）に固定される固定部１５１と、この固定部１５１からすり鉢状に形成されるレンズ支持部１５２と、このレンズ支持部１５２の先端に設けられ、光学レンズ１４０のつば部１４４を挟み込み光学レンズ１４０を保持するレンズ保持部１５３を有する。
【００１８】
固定部１５１は、光学レンズホルダ１５０が２つ組み合わされたとき、リング状をなす形状である。また、固定部１５１は、光学レンズホルダ１５０を底部１１１の所定の位置に取り付けるための位置決め用の凸部１５１ａと、底部１１１（ホルダ取付部１１１ｂ）に形成された貫通孔に挿入されて係合する係合爪１５１ｂを有する。
また、固定部１５１は、左右のいずれか一方に位置決め凸部１５１ｃが形成され、他方に位置決め凹部１５１ｄが形成される。これにより、同一形状の光学レンズホルダ１５０を２つ組み合わせるとき、一方の光学レンズホルダ１５０の位置決め凸部１５１ｃが他方の光学レンズホルダ１５０の位置決め凹部１５１ｄに嵌まり込むことで、２つの光学レンズホルダ１５０の位置決めを行なうことができ、光学レンズ１４０を所定の位置に挟みこんで保持することができる。
【００１９】
レンズ支持部１５２の内面形状は、光学レンズホルダ１５０が２つ組み合わされたとき、すり鉢形状となっており、光学レンズホルダ１５０に光学レンズ１４０が取り付けられたとき、反射部１４２に沿うような形状である。
【００２０】
レンズ保持部１５３は、溝部１５３ａが形成されるように、断面が「コ」の字状または「Ｕ」の字状を形成している。このレンズ保持部１５３は、溝部１５３ａに光学レンズ１４０のつば部１４４が挿入されて保持する機能を有する。
【００２１】
なお、本実施の形態では、光学レンズ１４０を用いる場合について説明するが、光学レンズ１４０を必ずしも必要としない場合（光源モジュール１２０が発する光を集光制御しない場合など）は、光源モジュール１２０を使用者が触れることがないように、透明または透光性のカバーを用いて、光源モジュール１２０を覆うようにしてもよい。この場合、光学レンズホルダ１５０を光源モジュール１２０が発する光を反射する反射面を有する反射具としてもよい。
【００２２】
電源ユニット１６０は、光源モジュール１２０に電力を供給する電源回路を含む電源装置１６１と、この電源装置１６１を格納する電源ケース１６２を有する。
この電源ユニット１６０は、アーム取付部１１２に対して一方側による位置の灯具本体１１０に取り付けられる。
【００２３】
灯具カバー１７０は、灯具本体１１０の灯具カバー挿入部１１３に挿入される取付挿入部１７１と、取付挿入部１７１から延出して形成され、電源ユニット１６０を覆う断面が円弧形状（または「Ｄ」字形状）のカバー本体１７２と、このカバー本体１７２の端部に形成された取付部１７３を有する。この灯具カバー１７０は、ポリカーボネート、ポリエチレン、ポリプロピレン、アクリル、エービーエスなどの樹脂で成形したものである。
【００２４】
アーム２００は、灯具本体１１０のアーム取付部１１２に回転可能に取り付けられるアーム軸部２１０と、直線状かつ角柱状のアーム支持部２２０と、このアーム支持部２２０の端部から側方に突出した円形状のプラグ取付部２３０を有する。
【００２５】
アーム軸部２１０は、アーム取付部１１２に形成された挿通孔１１２ａに挿入されるネジ２１１と、このネジ２１１が挿通される軸穴部２１２と、ネジ２１１が締結されるナット２１３を有する。
アーム支持部２２０は、長さ（高さ）が６００ｍｍ〜１２００ｍｍの直方体形状をなしている。
プラグ取付部２３０は、円筒形状のプラグ取付受部２３１と、このプラグ取付受部２３１から突出し、アーム２００の回転軸となるプラグ取付軸部２３２を有する。
【００２６】
プラグ３００は、アーム２００が回転可能な状態でプラグ取付部２３０を取り付けるプラグ回転軸部３１０と、プラグ本体３２０と、ライティングダクト（ＪＩＳＣ８３６６：２００６、ＪＩＳＣ８４７２：２００５）に取り付けられるアタッチメント部３３０と、ライティングダクトに取り付けられた状態を保持するロック機構３４０を有する。
【００２７】
アタッチメント部３３０は、ライティングダクトに係合する係合部３３１と、この係合部３３１に形成されライティングダクトの給電部に接触し、電気的に接続する電極部３３２を有する。
【００２８】
ロック機構３４０は、スライド可動する機構を有し、スライド可動させてロックを解除するものである。具体的には、ロック機構３４０の先端部が突出しているときは、この突出した先端部が、ライティングダクトに入り込んで嵌合して、プラグ３００がライティングダクトに対して回転しないように規制する。
【００２９】
次に、本実施の形態の照明器具の組み立てについて説明する。
灯具本体１１０の底部１１１（光源載置部１１１ａ）に光源モジュール１２０に載せ、光源モジュール１２０を被せるように光源保持具１３０を底部１１１（光源載置部１１１ａ）に固定して、光源モジュール１２０を取り付ける。
【００３０】
２つの光学レンズホルダ１５０のうち、一方の光学レンズホルダ１５０のレンズ保持部１５３に、光学レンズ１４０のつば部１４４を挿入し、次に、他方の光学レンズホルダ１５０のレンズ保持部１５３に光学レンズ１４０のつば部１４４が入り込むように、２つの光学レンズホルダ１５０で光学レンズ１４０を挟み込む。光学レンズ１４０は、２つの光学レンズホルダ１５０に挟み込まれた状態で、光学レンズホルダ１５０の固定部１５１が灯具本体１１０の底部１１１（ホルダ取付部１１１ｂ）に取り付けられることで、光学レンズ１４０は光源モジュール１２０の発光面を覆うように保持される。
【００３１】
次に、電源ユニット１６０を取り付け、アーム２００のアーム支持部２２０を取り付ける。灯具カバー１７０を電源ユニット１６０側を覆うように、灯具カバー１７０の取付挿入部１７１が灯具本体１１０の灯具カバー挿入部１１３に挿入し、取付部１７３をネジによって電源ユニット１６０に締結して固定する。この際、灯具本体１１０と灯具カバー１７０との間に所定間隔（１ｍｍ〜２ｍｍ程度）の窪み（隙間）を形成させる。材質の違い、加工方法の違いから生じる外観形状にバラツキがあった場合、灯具本体１１０と灯具カバー１７０とを隙間なく接するようにすると、灯具本体１１０と灯具カバー１７０との境界に生じる外郭形状の僅かな段差が視覚的に認識できるため、美観を損ねる恐れがあるが、灯具本体１１０と灯具カバー１７０との間に隙間を設けることで、灯具本体１１０の外郭形状と灯具カバー１７０の外郭形状に僅かな大きさの違い（段差）があったとしても、視覚的に認識され難くなるため、美観を向上させることができる。なお、灯具本体１１０と灯具カバー１７０との境界における隙間を広くしてもよいが、隙間を広くすると、視覚的に隙間（窪み）が認識されやすくなる。従って、灯具本体１１０と灯具カバー１７０の外郭形状の連続性がなくなるので、灯具本体１１０と灯具カバー１７０の外郭形状の連続性を保つようにするために、隙間の間隔を狭くしたほうが好ましい。
【００３２】
次に、照明器具１０００をライティングダクトに取り付ける作業について、２つのパターンを説明する。
【００３３】
まず、第一の取り付け方法について、図８（ｂ）、図９（ａ）を用いて説明する。
まず、灯具１００を回動させて、灯具１００の発光部分がプラグ３００に対して、斜め方向（図８（ｂ）、図９（ａ）をの斜め左下方向）へ向くようにする。このようにすることで、アーム２００が灯具１００に隠れることがなく、アーム２００の露出部分が大きくなるので、アーム２００を作業者が握り易い状態とすることができる。
【００３４】
この状態で、作業者が親指と人差し指でプラグ３００を摘むように把持し、親指でプラグ３００の側面にあるロック機構３４０をスライドさせる。このとき、アーム取付部２３０が中指に引っ掛かるようになるので、親指でロック機構３４０をスライドさせる操作がし易くなる。
【００３５】
次に、プラグ３００のアタッチメント部３３０をライティングダクトの挿入部（取り付け部）に挿入し、プラグ３００を９０度回転させて、ロック機構３４０のスライドを解除することで、プラグ３００がライティングダクトに保持される。なお、プラグ３００はアーム２００を回転するための回転機構であるプラグ回転軸部３１０を有しているが、アーム２００を直線状にし、また、プラグ３００の直径よりもアーム２００の幅が狭くなるようにしているので、作業者がプラグ３００を摘む際、アーム２００が大きくてプラグ３００が握りにくい、アーム２００が回転してしまって作業がし難いなどということがない。
【００３６】
また、アーム２００のアーム支持部２２０をプラグ取付受部２３１の円筒形状の外周側の位置に配置したので、中指がプラグ取付受部２３１に接触させることができるとともに、アーム支持部２２０を把持し易くすることができる。
【００３７】
なお、灯具１００をアーム２００に対してほぼ直交方向に回動させたときに露出するアーム２００（把持部）の長さが６０ｍｍ〜１２０ｍｍであると、作業者がプラグ３００を摘んだときに、作業者の手がアーム２００や灯具１００に干渉することがなく、作業性が向上する。
【００３８】
次に、第二の取り付け方法について、図８（ｃ）、図９（ｂ）を用いて説明する。
灯具１００を回動させて、アーム２００と灯具１００とがほぼ直交するようにする。このようにすることで、アーム２００が灯具１００に隠れることがなく、アーム２００の露出部分が大きくなるので、アーム２００を作業者が握り易い状態とすることができる。
【００３９】
この状態で、作業者がアーム支持部２２０を把持し、親指でプラグ３００の側面にあるロック機構３４０をスライドさせる。
【００４０】
次に、プラグ３００のアタッチメント部３３０をライティングダクトの挿入部（取り付け部）に挿入し、プラグ３００を９０度回転させて、ロック機構３４０のスライドを解除することで、プラグ３００がライティングダクトに保持される。なお、プラグ３００はアーム２００を回転するための回転機構であるプラグ回転軸部３１０を有しているが、アーム２００を直線状にし、また、プラグ３００の直径よりもアーム２００の幅が狭くなるようにしているので、作業者がプラグ３００を摘む際、アーム２００が大きくてプラグ３００が握りにくい、アーム２００が回転してしまって作業がし難いなどということがない。
【００４１】
また、アーム２００を灯具１００に対してほぼ直交するように回動させたとき、アーム２００の露出部分（把持部）を広くするようにしたので、作業者がライティングダクトに取り付ける作業性が向上するとともに、ライティングダクトに取り付けた後は、アーム２００は灯具カバー１７０などに隠れるため、使用者が照明器具１０００  を見上げたとき、灯具カバー１７０などによって、アーム２００の露出部分が少なくなるので、意匠性を向上させることができる。
【００４２】
なお、灯具１００をアーム２００に対してほぼ直交方向に回動させたときに露出するアーム２００（把持部）の長さが６０ｍｍ〜１２０ｍｍであると、作業者がプラグ３００を摘んだときに、作業者の手がアーム２００や灯具１００に干渉することがなく、作業性が向上する。
【符号の説明】
【００４３】
１０００  照明器具、１００  灯具、１１０  灯具本体、１１１  底部、１１１ａ  光源載置部、１１１ｂ  ホルダ取付部、１１２  アーム取付部、１１３  灯具カバー挿入部、１２０  光源モジュール、１２１  発光ダイオード、１３０  光源保持具、１４０  光学レンズ、１４１  入射部、１４２  反射部、１４３  出射部、１４４  つば部、１５０  光学レンズホルダ、１５１  固定部、１５１ａ  凸部、１５１ｂ  係合爪、１５２  レンズ支持部、１５３  レンズ保持部、１６０  電源ユニット、１６１  電源装置、１６２  電源ケース、１７０  灯具カバー、１７１  取付挿入部、１７２  カバー本体、１７３  取付部、２００  アーム、２１０  アーム軸部、２１１  ネジ、２１２  軸穴部、２１３  ナット、２２０  アーム支持部、２３０  プラグ取付部、２３１  プラグ取付受部、２３２  プラグ取付軸部、３００  プラグ、３１０  プラグ回転軸部、３２０  プラグ本体、３３０  アタッチメント部、３３１  係合部、３３２  電極部、３４０  ロック機構。
【図１】
2018055855.tif 000003
【図２】
2018055855.tif 000004
【図３】
2018055855.tif 000005
【図４】
2018055855.tif 000006
【図５】
2018055855.tif 000007
【図６】
2018055855.tif 000008
【図７】
2018055855.tif 000009
【図８】
2018055855.tif 000010
【図９】
2018055855.tif 000011